(57)【要約】【課題】不必要な風の逆流を抑制しつつ、シャッタの閉鎖動作時にシャッタがシール部材に衝突するのに伴って発生する衝突音を低減する。【解決手段】開口２２を有するハウジング２１と、開口２２を閉鎖するためのシャッタ２３と、シャッタ２３を受けるシャッタ受け部と、ハウジング２１の一部を構成するシャッタ受け部とシャッタ２３との隙間をシールするためのシール部材２５とを具備するシャッタ装置に、シャッタ２３の閉鎖動作時にシャッタ２３がシール部材２５に衝突する衝撃を緩衝するためのバネ２６をシール部材２５とは別個に設けた。【選択図】        図３
2005016918.tif 000002
【特許請求の範囲】
【請求項１】
開口を有するハウジングと、前記開口を閉鎖するためのシャッタと、前記シャッタを受けるシャッタ受け部と、前記シャッタと前記シャッタ受け部との隙間をシールするためのシール部材とを具備するシャッタ装置において、前記シャッタの閉鎖動作時に前記シャッタが前記シール部材に衝突する衝撃を緩衝するためのバネを前記シール部材とは別個に設けたことを特徴とするシャッタ装置。
【請求項２】
前記バネと前記シャッタとの接触面積を前記シール部材と前記シャッタとの接触面積よりも小さくしたことを特徴とする請求項１に記載のシャッタ装置。
【請求項３】
前記シャッタの閉鎖動作時に、前記シャッタが、まず、前記シール部材に衝突し、次いで、前記バネに衝突するように、前記シール部材および前記バネを配置したことを特徴とする請求項１又は２に記載のシャッタ装置。
【請求項４】
前記シャッタの閉鎖動作時に、前記シャッタが前記シール部材および前記バネにほぼ同時に衝突するように、前記シール部材および前記バネを配置したことを特徴とする請求項１又は２に記載のシャッタ装置。
【請求項５】
開口を有するハウジングと、前記開口を閉鎖するためのシャッタと、前記シャッタを受けるシャッタ受け部と、前記シャッタと前記シャッタ受け部との隙間をシールするためのシール部材とを具備するシャッタ装置において、前記シャッタの閉鎖動作時に前記シール部材が前記シャッタ受け部に衝突する衝撃を緩衝するためのバネを前記シール部材とは別個に設けたことを特徴とするシャッタ装置。
【請求項６】
前記バネと前記シャッタ受け部との接触面積を前記シール部材と前記シャッタ受け部との接触面積よりも小さくしたことを特徴とする請求項５に記載のシャッタ装置。
【請求項７】
前記シャッタの閉鎖動作時に、まず、前記シール部材が前記シャッタ受け部に衝突し、次いで、前記バネが前記シャッタ受け部に衝突するように、前記シール部材および前記バネを配置したことを特徴とする請求項５又は６に記載のシャッタ装置。
【請求項８】
前記シャッタの閉鎖動作時に、前記シール部材および前記バネが前記シャッタ受け部にほぼ同時に衝突するように、前記シール部材および前記バネを配置したことを特徴とする請求項５又は６に記載のシャッタ装置。
【請求項９】
開口を有するハウジングと、前記開口を閉鎖するためのシャッタと、前記シャッタの閉鎖動作時に前記シャッタが衝突する衝撃を緩衝するための衝撃緩衝部材とを具備するシャッタ装置において、前記衝撃緩衝部材としてバネを用いることを特徴とするシャッタ装置。
【請求項１０】
前記衝撃緩衝部材として圧縮コイルバネを用いることを特徴とする請求項９に記載のシャッタ装置。
【請求項１１】
請求項１〜１０のいずれか一項に記載のシャッタ装置を有する空調装置。
【請求項１２】
請求項１〜１０のいずれか一項に記載のシャッタ装置を有する換気装置。
【請求項１３】
請求項１〜１０のいずれか一項に記載のシャッタ装置を有する住宅構造。
【発明の詳細な説明】
【０００１】
【発明の属する技術分野】
本発明は、開口を有するハウジングと、その開口を閉鎖するためのシャッタと、シャッタを受けるシャッタ受け部と、シャッタとシャッタ受け部との隙間をシールするためのシール部材とを具備するシャッタ装置およびそれを有する空調装置、換気装置、並びに住宅構造に関し、特には、不必要な風の逆流を抑制しつつ、シャッタの閉鎖動作時にシャッタがシール部材に衝突するのに伴って発生する衝突音を低減することができるシャッタ装置およびそれを有する空調装置、換気装置、並びに住宅構造に関する。
【０００２】
更に本発明は、不必要な風の逆流を抑制しつつ、シャッタの閉鎖動作時にシール部材がシャッタ受け部に衝突するのに伴って発生する衝突音を低減することができるシャッタ装置およびそれを有する空調装置、換気装置、並びに住宅構造に関する。
【０００３】
更に本発明は、開口を有するハウジングと、その開口を閉鎖するためのシャッタと、シャッタの閉鎖動作時にシャッタが衝突する衝撃を緩衝するための衝撃緩衝部材とを具備するシャッタ装置およびそれを有する空調装置、換気装置、並びに住宅構造に関し、特には、衝撃緩衝部材としてゴムが用いられる場合よりも、シャッタの閉鎖動作時の衝突音を低減し、かつ、閉鎖したシャッタが開かなくなってしまうおそれを低減することができるシャッタ装置およびそれを有する空調装置、換気装置、並びに住宅構造に関する。
【０００４】
【従来の技術】
従来から、開口を有するハウジングと、その開口を閉鎖するためのシャッタと、シャッタを受けるシャッタ受け部と、シャッタとシャッタ受け部との隙間をシールするためのシール部材とを具備する換気装置が知られている。この種の換気装置の例としては、例えば特開平１１−１９０５４３号公報に記載されたものがある。特開平１１−１９０５４３号公報に記載された換気装置では、ハウジングとしての筒状部に開口部が形成され、その開口部を閉鎖するためのシャッタ板が設けられ、筒状部の一部を構成しているシャッタ受け部とシャッタ板との隙間をシールするシール部材として、スポンジ等により形成されたクッション部材が、シャッタ受け部に担持せしめられている。つまり、特開平１１−１９０５４３号公報に記載された換気装置では、不必要な風が開口部を逆流するのが、シャッタ板とクッション部材とによって抑制されている。
【０００５】
ところが、特開平１１−１９０５４３号に記載された換気装置では、スポンジ等により形成されたクッション部材によってシャッタ板とシャッタ受け部との隙間が良好にシールせしめられ、不必要な風の逆流が抑制されるものの、シャッタ板の閉鎖動作時に、シャッタ板がクッション部材に衝突するのに伴って非常に大きい衝突音が発生してしまう。詳細には、風によって比較的大きい力がシャッタ板にかかった場合には、シャッタ板の閉鎖動作時に、クッション部材が潰れきってクッション部材の緩衝作用が急激に失われ、それにより、非常に大きい衝突音が発生してしまう。
【０００６】
クッション部材が潰れきらないように比較的硬い材料によってクッション部材を形成し、それにより、衝突音を低減することも考えられるが、比較的硬い材料によってクッション部材を形成した場合には、シャッタ板とシャッタ受け部との隙間をシールする機能が不十分になってしまい、不必要な風の逆流を抑制できなくなってしまう。
【０００７】
また、クッション部材が潰れきらないようにクッション部材とシャッタ板との接触面積を大きくし、それにより、衝突音を低減することも考えられるが、クッション部材とシャッタ板との接触面積を大きくしようとすると、換気装置全体が大型化してしまう。
【０００８】
また、スポンジ等により形成されたクッション部材は経年変化を起こしやすいため、換気装置が長期間にわたって使用される場合に、クッション部材が潰れきることがないようにクッション部材を設計するのは非常に困難である。
【０００９】
また、従来から、開口を有するハウジングと、その開口を閉鎖するためのシャッタと、シャッタの閉鎖動作時にシャッタが衝突する衝撃を緩衝するための衝撃緩衝部材とを具備するシャッタ装置が知られている。この種のシャッタ装置の例としては、例えば特開平７−１２００２８号公報に記載されたものがある。特開平７−１２００２８号公報に記載されたシャッタ装置では、ハウジングとしてのシャッタ枠の開口部を閉鎖するためのシャッタ板が設けられ、シャッタ板の閉鎖動作時にシャッタ板が衝突する衝撃を緩衝するための衝撃緩衝部材として、ゴムが用いられている。
【００１０】
ところが、特開平７−１２００２８号公報に記載されたシャッタ装置では、衝撃緩衝部材としてゴムが用いられているため、衝撃緩衝部材が設けられていない場合よりもシャッタ板の閉鎖動作時の衝突音を低減することができるものの、依然として、シャッタ板の閉鎖動作時に比較的大きい衝突音が発生してしまう。また、閉鎖したシャッタ板が衝撃緩衝部材としてのゴムに張り付いてしまうおそれがあり、その場合には、閉鎖したシャッタ板が開かなくなってしまうおそれがある。
【００１１】
【特許文献１】
特開平１１−１９０５４３号公報
【特許文献２】
特開平７−１２００２８号公報
【００１２】
【発明が解決しようとする課題】
【００１３】
前記問題点に鑑み、本発明は、不必要な風の逆流を抑制しつつ、シャッタの閉鎖動作時にシャッタがシール部材に衝突するのに伴って発生する衝突音を低減することができるシャッタ装置およびそれを有する空調装置、換気装置、並びに住宅構造を提供することを目的とする。
【００１４】
更に本発明は、不必要な風の逆流を抑制しつつ、シャッタの閉鎖動作時にシール部材がシャッタ受け部に衝突するのに伴って発生する衝突音を低減することができるシャッタ装置およびそれを有する空調装置、換気装置、並びに住宅構造を提供することを目的とする。
【００１５】
更に本発明は、衝撃緩衝部材としてゴムが用いられる場合よりも、シャッタの閉鎖動作時の衝突音を低減し、かつ、閉鎖したシャッタが開かなくなってしまうおそれを低減することができるシャッタ装置およびそれを有する空調装置、換気装置、並びに住宅構造を提供することを目的とする。
【００１６】
【課題を解決するための手段】
請求項１に記載の発明によれば、開口を有するハウジングと、前記開口を閉鎖するためのシャッタと、前記シャッタを受けるシャッタ受け部と、前記シャッタと前記シャッタ受け部との隙間をシールするためのシール部材とを具備するシャッタ装置において、前記シャッタの閉鎖動作時に前記シャッタが前記シール部材に衝突する衝撃を緩衝するためのバネを前記シール部材とは別個に設けたことを特徴とするシャッタ装置が提供される。
【００１７】
請求項１に記載のシャッタ装置では、シャッタとシャッタ受け部との隙間をシールするためのシール部材が設けられている。そのため、不必要な風がシャッタとシャッタ受け部との隙間を介して逆流するのを抑制することができる。更に、シャッタの閉鎖動作時にシャッタがシール部材に衝突する衝撃を緩衝するためのバネが、シール部材とは別個に設けられている。そのため、シャッタの閉鎖動作時にシール部材が潰れきってしまうのを回避することができる。つまり、バネが設けられていない場合よりも、シャッタの閉鎖動作時にシャッタがシール部材に衝突するのに伴って発生する衝突音を低減することができる。すなわち、不必要な風の逆流を抑制しつつ、シャッタの閉鎖動作時にシャッタがシール部材に衝突するのに伴って発生する衝突音を低減することができる。
【００１８】
請求項２に記載の発明によれば、前記バネと前記シャッタとの接触面積を前記シール部材と前記シャッタとの接触面積よりも小さくしたことを特徴とする請求項１に記載のシャッタ装置が提供される。
【００１９】
請求項２に記載のシャッタ装置では、バネとシャッタとの接触面積がシール部材とシャッタとの接触面積よりも小さくされている。そのため、バネとシャッタとの接触面積が比較的大きい場合よりも、シャッタの閉鎖動作時にシャッタがバネに衝突するのに伴って発生する衝突音を低減することができる。
【００２０】
請求項３に記載の発明によれば、前記シャッタの閉鎖動作時に、前記シャッタが、まず、前記シール部材に衝突し、次いで、前記バネに衝突するように、前記シール部材および前記バネを配置したことを特徴とする請求項１又は２に記載のシャッタ装置が提供される。
【００２１】
請求項４に記載の発明によれば、前記シャッタの閉鎖動作時に、前記シャッタが前記シール部材および前記バネにほぼ同時に衝突するように、前記シール部材および前記バネを配置したことを特徴とする請求項１又は２に記載のシャッタ装置が提供される。
【００２２】
シャッタの閉鎖動作時に、シール部材に衝突する前に、シャッタがバネに衝突してしまうと、バネによってシャッタが戻され、シャッタとシャッタ受け部との間隔が開いてしまい、その結果、シャッタとシャッタ受け部との隙間をシール部材によってシールできなくなるおそれがある点に鑑み、請求項３及び４に記載のシャッタ装置では、シャッタの閉鎖動作時に、シャッタが、まず、シール部材に衝突せしめられ、次いで、バネに衝突せしめられる。あるいは、シャッタがシール部材およびバネにほぼ同時に衝突せしめられる。そのため、シャッタの閉鎖動作時に、シール部材に衝突する前に、シャッタがバネに衝突するのに伴って、シャッタとシャッタ受け部との隙間をシール部材によってシールできなくなってしまうのを回避することができる。
【００２３】
請求項５に記載の発明によれば、開口を有するハウジングと、前記開口を閉鎖するためのシャッタと、前記シャッタを受けるシャッタ受け部と、前記シャッタと前記シャッタ受け部との隙間をシールするためのシール部材とを具備するシャッタ装置において、前記シャッタの閉鎖動作時に前記シール部材が前記シャッタ受け部に衝突する衝撃を緩衝するためのバネを前記シール部材とは別個に設けたことを特徴とするシャッタ装置が提供される。
【００２４】
請求項５に記載のシャッタ装置では、シャッタとシャッタ受け部との隙間をシールするためのシール部材が設けられている。そのため、不必要な風がシャッタとシャッタ受け部との隙間を介して逆流するのを抑制することができる。更に、シャッタの閉鎖動作時にシール部材がシャッタ受け部に衝突する衝撃を緩衝するためのバネが、シール部材とは別個に設けられている。そのため、シャッタの閉鎖動作時にシール部材が潰れきってしまうのを回避することができる。つまり、バネが設けられていない場合よりも、シャッタの閉鎖動作時にシール部材がシャッタ受け部に衝突するのに伴って発生する衝突音を低減することができる。すなわち、不必要な風の逆流を抑制しつつ、シャッタの閉鎖動作時にシール部材がシャッタ受け部に衝突するのに伴って発生する衝突音を低減することができる。
【００２５】
請求項６に記載の発明によれば、前記バネと前記シャッタ受け部との接触面積を前記シール部材と前記シャッタ受け部との接触面積よりも小さくしたことを特徴とする請求項５に記載のシャッタ装置が提供される。
【００２６】
請求項６に記載のシャッタ装置では、バネとシャッタ受け部との接触面積がシール部材とシャッタ受け部との接触面積よりも小さくされている。そのため、バネとシャッタ受け部との接触面積が比較的大きい場合よりも、シャッタの閉鎖動作時にバネがシャッタ受け部に衝突するのに伴って発生する衝突音を低減することができる。
【００２７】
請求項７に記載の発明によれば、前記シャッタの閉鎖動作時に、まず、前記シール部材が前記シャッタ受け部に衝突し、次いで、前記バネが前記シャッタ受け部に衝突するように、前記シール部材および前記バネを配置したことを特徴とする請求項５又は６に記載のシャッタ装置が提供される。
【００２８】
請求項８に記載の発明によれば、前記シャッタの閉鎖動作時に、前記シール部材および前記バネが前記シャッタ受け部にほぼ同時に衝突するように、前記シール部材および前記バネを配置したことを特徴とする請求項５又は６に記載のシャッタ装置が提供される。
【００２９】
シャッタの閉鎖動作時に、シール部材がシャッタ受け部に衝突する前に、バネがシャッタ受け部に衝突してしまうと、バネによってシャッタが戻され、シャッタとシャッタ受け部との間隔が開いてしまい、その結果、シャッタとシャッタ受け部との隙間をシール部材によってシールできなくなるおそれがある点に鑑み、請求項７及び８に記載のシャッタ装置では、シャッタの閉鎖動作時に、まず、シール部材がシャッタ受け部に衝突せしめられ、次いで、バネがシャッタ受け部に衝突せしめられる。あるいは、シール部材およびバネがシャッタ受け部にほぼ同時に衝突せしめられる。そのため、シャッタの閉鎖動作時に、シール部材がシャッタ受け部に衝突する前に、バネがシャッタ受け部に衝突するのに伴って、シャッタとシャッタ受け部との隙間をシール部材によってシールできなくなってしまうのを回避することができる。
【００３０】
請求項９に記載の発明によれば、開口を有するハウジングと、前記開口を閉鎖するためのシャッタと、前記シャッタの閉鎖動作時に前記シャッタが衝突する衝撃を緩衝するための衝撃緩衝部材とを具備するシャッタ装置において、前記衝撃緩衝部材としてバネを用いることを特徴とするシャッタ装置が提供される。
【００３１】
請求項１０に記載の発明によれば、前記衝撃緩衝部材として圧縮コイルバネを用いることを特徴とする請求項９に記載のシャッタ装置が提供される。
【００３２】
シャッタの閉鎖動作時にシャッタが衝突する衝撃を緩衝するための衝撃緩衝部材としてゴムが用いられると、衝撃緩衝部材が設けられていない場合よりもシャッタの閉鎖動作時の衝突音を低減することができるものの、依然として、シャッタの閉鎖動作時に比較的大きい衝突音が発生してしまい、また、閉鎖したシャッタが衝撃緩衝部材としてのゴムに張り付いてしまうおそれがあり、その場合には、閉鎖したシャッタが開かなくなってしまうおそれがある点に鑑み、請求項９及び１０に記載のシャッタ装置では、シャッタの閉鎖動作時にシャッタが衝突する衝撃を緩衝するための衝撃緩衝部材としてバネが用いられる。例えば、衝撃緩衝部材として圧縮コイルバネが用いられる。そのため、衝撃緩衝部材としてゴムが用いられる場合よりも、シャッタの閉鎖動作時の衝突音を低減し、かつ、閉鎖したシャッタが開かなくなってしまうおそれを低減することができる。
【００３３】
請求項１１に記載の発明によれば、請求項１〜１０のいずれか一項に記載のシャッタ装置を有する空調装置が提供される。
【００３４】
請求項１１に記載の空調装置では、不必要な風の逆流を抑制しつつ、シャッタの閉鎖動作時にシャッタがシール部材に衝突するのに伴って発生する衝突音を低減することができる。あるいは、不必要な風の逆流を抑制しつつ、シャッタの閉鎖動作時にシール部材がシャッタ受け部に衝突するのに伴って発生する衝突音を低減することができる。あるいは、衝撃緩衝部材としてゴムが用いられる場合よりも、シャッタの閉鎖動作時の衝突音を低減し、かつ、閉鎖したシャッタが開かなくなってしまうおそれを低減することができる。
【００３５】
請求項１２に記載の発明によれば、請求項１〜１０のいずれか一項に記載のシャッタ装置を有する換気装置が提供される。
【００３６】
請求項１２に記載の換気装置では、不必要な風の逆流を抑制しつつ、シャッタの閉鎖動作時にシャッタがシール部材に衝突するのに伴って発生する衝突音を低減することができる。あるいは、不必要な風の逆流を抑制しつつ、シャッタの閉鎖動作時にシール部材がシャッタ受け部に衝突するのに伴って発生する衝突音を低減することができる。あるいは、衝撃緩衝部材としてゴムが用いられる場合よりも、シャッタの閉鎖動作時の衝突音を低減し、かつ、閉鎖したシャッタが開かなくなってしまうおそれを低減することができる。
【００３７】
請求項１３に記載の発明によれば、請求項１〜１０のいずれか一項に記載のシャッタ装置を有する住宅構造が提供される。
【００３８】
請求項１３に記載の住宅構造では、不必要な風の逆流を抑制しつつ、シャッタの閉鎖動作時にシャッタがシール部材に衝突するのに伴って発生する衝突音を低減することができる。あるいは、不必要な風の逆流を抑制しつつ、シャッタの閉鎖動作時にシール部材がシャッタ受け部に衝突するのに伴って発生する衝突音を低減することができる。あるいは、衝撃緩衝部材としてゴムが用いられる場合よりも、シャッタの閉鎖動作時の衝突音を低減し、かつ、閉鎖したシャッタが開かなくなってしまうおそれを低減することができる。
【００３９】
【発明の実施の形態】
以下、添付図面を用いて本発明の実施形態について説明する。
【００４０】
図１は本発明のシャッタ装置を適用した空調装置の第１の実施形態の断面図である。図１において、１０は例えば浴室などに設置される空調装置、１２は空調装置１０のケーシング、１３は空調装置１０が設置された室内の空気を空調装置１０内に吸い込むための吸気口である。１４は空調装置１０内に吸い込まれた空気を室内に吹き出して循環させるための吹出口、１５は空調装置１０内に吸い込まれた空気を室外に排出するための排気口である。２０は室外の空気が室内に逆流するのを抑制するために排気口１５に設けられたシャッタ装置である。Ｄは空調装置１０内に吸い込まれた空気を室内に吹き出して循環させるか、あるいは、室外に排出するかを切り換えるためのダンパである。Ｆ１は室内の空気を空調装置１０内に吸い込み、その空気を室内に吹き出して循環させるか、あるいは、室外に排出するためのファンである。ＭはファンＦ１を駆動するためのモータである。Ｈは室内に吹き出して循環せしめられる空気を加熱するためのヒータである。Ｔは空調装置１０が適用される部屋の天井、ｔは空調装置１０を配置するために天井Ｔに形成された開口である。
【００４１】
第１の実施形態では、室内の空気を加熱して循環させる暖房モードが、空調装置１０に設けられている。暖房モードが選択されている時には、図１に示すように、ダンパＤが実線で示す位置（Ｄ）に配置される。また、ファンＦ１により吸気口１３を介して空調装置１０内に吸い込まれた空気が、ダンパＤによって案内され、ヒータＨによって加熱され、吹出口１４を介して室内に吹き出される。
【００４２】
更に、第１の実施形態では、室内の空気を室外に排出する換気モードが、空調装置１０に設けられている。換気モードが選択されている時には、図１に示すように、ダンパＤが破線で示す位置（Ｄ’）に配置される。また、ファンＦ１により吸気口１３を介して空調装置１０内に吸い込まれた空気が、破線で示す位置（Ｄ’）に配置されたダンパＤによって案内され、排気口１５およびシャッタ装置２０を介して室外に排出される。
【００４３】
更に、第１の実施形態では、室内の空気の一部を加熱して循環させつつ、室内の空気の一部を室外に排出する乾燥モードが、空調装置１０に設けられている。乾燥モードが選択されている時には、図１に示すように、ダンパＤが一点鎖線で示す位置（Ｄ”）に配置される。また、ファンＦ１により吸気口１３を介して空調装置１０内に吸い込まれた空気の一部が、一点鎖線で示す位置（Ｄ”）に配置されたダンパＤによって案内され、ヒータＨによって加熱され、吹出口１４を介して室内に吹き出される。更に、ファンＦ１により吸気口１３を介して空調装置１０内に吸い込まれた空気の残りが、一点鎖線で示す位置（Ｄ”）に配置されたダンパＤによって案内され、排気口１５およびシャッタ装置２０を介して室外に排出される。
【００４４】
更に、第１の実施形態では、室内の空気を加熱することなく循環させる涼風モードが、空調装置１０に設けられている。涼風モードが選択されている時には、図１に示すように、ダンパＤが実線で示す位置（Ｄ）に配置される。また、ファンＦ１により吸気口１３を介して空調装置１０内に吸い込まれた空気が、ダンパＤによって案内され、ヒータＨによって加熱されることなく、吹出口１４を介して室内に吹き出される。なお、この涼風モードにおいて、ダンパＤの位置をＤ’よりにして一部の空気を排気しながら、吹出口１４から室内へ吹き出し、空気が循環されるようにしてもよい。
【００４５】
図２は図１に示したシャッタ装置２０が開放されている状態を示した断面図、図３は図２に示したシャッタ装置２０の斜視図、図４は図１に示したシャッタ装置２０が閉鎖されている状態を示した断面図、図５は図４に示したシャッタ装置２０の斜視図である。
【００４６】
図２〜図５において、２１はシャッタ装置２０のハウジング、２１’はハウジング２１の一部を構成するシャッタ受け部、２２は室内の空気を室外に排出するためにハウジング２１に形成された開口である。２３は開口２２を閉鎖することにより、室外の空気が室内に逆流するのを抑制するためのシャッタ、２４はシャッタ２３の回転軸である。２５はシャッタ２３が閉鎖されている時にハウジング２１の一部を構成するシャッタ受け部２１’とシャッタ２３との隙間をシールするためのシール部材である。第１の実施形態では、シール部材２５が例えばスポンジによって形成されている。２６はシャッタ２３の閉鎖動作時、つまり、シャッタ２３が開放された状態（図２および図３）からシャッタ２３が閉鎖された状態（図４および図５）に切り換わる時に、シャッタ２３がシール部材２５に衝突する衝撃を緩衝するためのバネである。第１の実施形態では、バネ２６として、圧縮コイルバネが用いられている。
【００４７】
上述したように、第１の実施形態では、換気モードおよび乾燥モードにおいて、通常、ファンＦ１によって空調装置１０内に吸い込まれた空気が、シャッタ装置２０を介して室外に排出される。詳細には、図２および図３に示すように、ファンＦ１によって室内から吸い込まれた空気により、シャッタ２３が時計回りに回転せしめられ、シャッタ２３が開放される。その結果、室内の空気はシャッタ装置２０の開口２２を介して室外に排出される。
【００４８】
ところが、室内の空気を室外に排出する換気モードおよび乾燥モードにおいても、例えば室外の風が強いときには、室外の空気が排気口１５を介して室内に逆流しそうになる場合がある。第１の実施形態では、室外の空気が排気口１５を介して室内に逆流するのが、シャッタ装置２０によって抑制される。詳細には、室外の空気が排気口１５を介して室内に逆流しようとする時には、図４および図５に示すように、室外から室内に逆流しようとする空気により、シャッタ２３が反時計回りに回転せしめられ、シャッタ２３が閉鎖される。その結果、室外の空気が室内に逆流するのが抑制される。
【００４９】
第１の実施形態では、図２〜図５に示すように、ハウジング２１の一部を構成するシャッタ受け部２１’とシャッタ２３との隙間をシールするためのシール部材２５が設けられている。詳細には、シャッタ受け部２１’とシャッタ２３との隙間をシールするためのシール部材２５が、シャッタ受け部２１’に取付けられている。そのため、図４および図５に示すように、室外の空気は、シャッタ２３が閉鎖されている時に、シャッタ受け部２１’とシャッタ２３との隙間を介して室内に逆流できなくなる。つまり、シール部材２５により、室外の空気がシャッタ受け部２１’とシャッタ２３との隙間を介して室内に逆流するのが抑制される。
【００５０】
更に、第１の実施形態では、図２および図３に示すように、シャッタ２３がシール部材２５に衝突する衝撃を緩衝するためのバネ２６が設けられている。詳細には、シャッタ２３がシール部材２５に衝突する衝撃を緩衝するためのバネ２６が、シャッタ受け部２１’に取付けられている。そのため、シャッタ２３の閉鎖動作時、つまり、シャッタ２３が開放された状態（図２および図３）からシャッタ２３が閉鎖された状態（図４および図５）に切り換わる時に、バネ２６により、シャッタ２３がシール部材２５に衝突する衝撃が緩衝される。その結果、シャッタ２３の閉鎖動作時にシール部材２５が潰れきってしまうのを回避することができる。つまり、バネ２６が設けられていない場合よりも、シャッタ２３の閉鎖動作時にシャッタ２３がシール部材２５に衝突するのに伴って発生する衝突音を低減することができる。
【００５１】
詳細には、第１の実施形態では、図３に示すように、シャッタ２３がバネ２６に衝突した時にシャッタ２３の回転軸２４にこじり力が発生しないように、バネ２６がシャッタ２３の回転軸２４の垂直二等分面上に配置されている。
【００５２】
更に、本発明の検討中に、シャッタ２３とバネ２６との接触面積を小さくするほど、シャッタ２３の閉鎖動作時にシャッタ２３がバネ２６に衝突するのに伴って発生する衝突音が小さくなる点が、本発明者により見出された。この検討結果に鑑み、第１の実施形態では、図３に示すように、バネ２６とシャッタ２３との接触面積が比較的小さい値に設定されている。詳細には、バネ２６とシャッタ２３との接触面積が、シール部材２５とシャッタ２３との接触面積よりも小さくされている。そのため、バネ２６とシャッタ２３との接触面積が比較的大きい場合よりも、シャッタ２３の閉鎖動作時にシャッタ２３がバネ２６に衝突するのに伴って発生する衝突音を低減することができる。
【００５３】
更に、第１の実施形態では、図２および図４に示すように、シャッタ２３の閉鎖動作時に、シャッタ２３が、まず、シール部材２５に衝突し、次いで、バネ２６に衝突するように、シール部材２５およびバネ２６が配置されている。そのため、シャッタ２３の閉鎖動作時に、シール部材２５に衝突する前に、シャッタ２３がバネ２６に衝突するのに伴って、シャッタ受け部２１’とシャッタ２３との隙間をシール部材２５によってシールできなくなってしまうのを回避することができる。
【００５４】
以下、本発明のシャッタ装置を適用した空調装置の第２の実施形態について説明する。第２の実施形態では、図１〜図５に示したシャッタ装置２０の代わりに、後述するシャッタ装置１２０が、図１に示した空調装置１０に適用されている。
【００５５】
第２の実施形態においても、第１の実施形態と同様に、室内の空気を加熱して循環させる暖房モードと、室内の空気を室外に排出する換気モードと、室内の空気の一部を加熱して循環させつつ、室内の空気の一部を室外に排出する乾燥モードと、室内の空気を加熱することなく循環させる涼風モードとが、空調装置１０に設けられている。
【００５６】
図６は開放されている状態における第２の実施形態のシャッタ装置１２０の断面図、図７は図６に示したシャッタ装置１２０を左側から見た図、図８は図６に示したシャッタ装置１２０の斜視図である。
【００５７】
図６〜図８において、１２１はシャッタ装置１２０のハウジング、１２１’はハウジング１２０の一部を構成するシャッタ受け部、１２２は室内の空気を室外に排出するためにハウジング１２１に形成された開口である。１２３は開口１２２を閉鎖することにより、室外の空気が室内に逆流するのを抑制するためのシャッタ、１２４はシャッタ１２３の回転軸である。１２５はシャッタ１２３が閉鎖されている時にハウジング１２１の一部を構成するシャッタ受け部１２１’とシャッタ１２３との隙間をシールするためのシール部材である。第２の実施形態では、シール部材１２５が例えばスポンジによって形成されている。１２６はシャッタ１２３の閉鎖動作時、つまり、シャッタ１２３が開放された状態（図６〜図８）からシャッタ１２３が閉鎖された状態（図示せず）に切り換わる時に、シャッタ１２３がシール部材１２５に衝突する衝撃を緩衝するためのバネである。第２の実施形態では、バネ１２６として、圧縮コイルバネが用いられている。１２６’はバネ１２６を補助するための衝撃緩衝補助部材である。第２の実施形態では、衝撃緩衝補助部材１２６’が例えばスポンジによって形成されている。
【００５８】
第２の実施形態では、第１の実施形態と同様に、換気モードおよび乾燥モードにおいて、通常、ファンＦ１によって空調装置１０内に吸い込まれた空気が、シャッタ装置１２０を介して室外に排出される。詳細には、図６に示すように、ファンＦ１によって室内から吸い込まれた空気により、シャッタ１２３が時計回りに回転せしめられ、シャッタ１２３が開放される。その結果、室内の空気はシャッタ装置１２０の開口１２２を介して室外に排出される。
【００５９】
第２の実施形態では、第１の実施形態と同様に、室外の空気が排気口１５を介して室内に逆流するのが、シャッタ装置１２０によって抑制される。詳細には、室外の空気が排気口１５を介して室内に逆流しようとする時には、室外から室内に逆流しようとする空気により、シャッタ１２３が、図６に示した状態から反時計回りに回転せしめられ、閉鎖される。その結果、室外の空気が室内に逆流するのが抑制される。
【００６０】
第２の実施形態では、図６〜図８に示すように、ハウジング１２１の一部を構成するシャッタ受け部１２１’とシャッタ１２３との隙間をシールするためのシール部材１２５が設けられている。詳細には、シャッタ受け部１２１’とシャッタ１２３との隙間をシールするためのシール部材１２５が、シャッタ受け部１２１’に取付けられている。そのため、室外の空気は、シャッタ１２３が閉鎖されている時（図示せず）に、シャッタ受け部１２１’とシャッタ１２３との隙間を介して室内に逆流できなくなる。つまり、シール部材１２５により、室外の空気がシャッタ受け部１２１’とシャッタ１２３との隙間を介して室内に逆流するのが抑制される。
【００６１】
更に、第２の実施形態では、図６〜図８に示すように、シャッタ１２３がシール部材１２５に衝突する衝撃を緩衝するためのバネ１２６が設けられている。詳細には、シャッタ１２３がシール部材１２５に衝突する衝撃を緩衝するためのバネ１２６が、シャッタ受け部１２１’に取付けられている。そのため、シャッタ１２３の閉鎖動作時、つまり、シャッタ１２３が開放された状態（図６〜図８）からシャッタ１２３が閉鎖された状態（図示せず）に切り換わる時に、バネ１２６により、シャッタ１２３がシール部材１２５に衝突する衝撃が緩衝される。その結果、シャッタ１２３の閉鎖動作時にシール部材１２５が潰れきってしまうのを回避することができる。つまり、バネ１２６が設けられていない場合よりも、シャッタ１２３の閉鎖動作時にシャッタ１２３がシール部材１２５に衝突するのに伴って発生する衝突音を低減することができる。
【００６２】
詳細には、第２の実施形態では、図７に示すように、シャッタ１２３がバネ１２６に衝突した時にシャッタ１２３の回転軸１２４にこじり力が発生しないように、バネ１２６がシャッタ１２３の回転軸１２４の中心軸線の垂直二等分面上に配置されている。
【００６３】
更に、第２の実施形態では、図７および図８に示すように、バネ１２６とシャッタ１２３との接触面積が比較的小さい値に設定されている。詳細には、バネ１２６とシャッタ１２３との接触面積が、シール部材１２５とシャッタ１２３との接触面積よりも小さくされている。そのため、バネ１２６とシャッタ１２３との接触面積が比較的大きい場合よりも、シャッタ１２３の閉鎖動作時にシャッタ１２３がバネ１２６に衝突するのに伴って発生する衝突音を低減することができる。
【００６４】
更に、第２の実施形態では、図６に示すように、シャッタ１２３の閉鎖動作時に、シャッタ１２３がシール部材１２５およびバネ１２６にほぼ同時に衝突するように、シール部材１２５およびバネ１２６が配置されている。そのため、シャッタ１２３の閉鎖動作時に、シール部材１２５に衝突する前に、シャッタ１２３がバネ１２６に衝突するのに伴って、シャッタ受け部１２１’とシャッタ１２３との隙間をシール部材１２５によってシールできなくなってしまうのを回避することができる。
【００６５】
以下、本発明のシャッタ装置を適用した空調装置の第３の実施形態について説明する。第３の実施形態の空調装置は、後述する点を除き、第１の実施形態の空調装置と同様に構成されている。従って、第３の実施形態によれば、後述する点を除き、第１の実施形態と同様の効果を奏することができる。
【００６６】
第３の実施形態のシャッタ装置（図示せず）では、図１〜図５に示した第１の実施形態のシャッタ装置２０と同様に、ハウジングの一部を構成するシャッタ受け部とシャッタとの隙間をシールするためのシール部材が、シャッタ受け部に取付けられている。
【００６７】
上述した第１の実施形態のシャッタ装置２０では、図１〜図５に示したように、シャッタ２３の閉鎖動作時にシャッタ２３がシール部材２５に衝突する衝撃を緩衝するためのバネ２６が、ハウジング２１の一部を構成するシャッタ受け部２１’に取付けられているが、第３の実施形態のシャッタ装置（図示せず）では、シャッタの閉鎖動作時にシャッタがシール部材に衝突する衝撃を緩衝するためのバネが、シャッタ受け部ではなく、シャッタに取付けられている。そのため、第１の実施形態のシャッタ装置２０では、バネ２６とシャッタ２３との接触面積が比較的小さい値に設定されているが、第３の実施形態のシャッタ装置（図示せず）では、バネとシャッタ受け部との接触面積が比較的小さい値に設定されている。
【００６８】
詳細には、バネとシャッタ受け部との接触面積が、シール部材とシャッタとの接触面積よりも小さくされている。そのため、バネとシャッタ受け部との接触面積が比較的大きい場合よりも、シャッタの閉鎖動作時にバネがシャッタ受け部に衝突するのに伴って発生する衝突音を低減することができる。
【００６９】
更に、第３の実施形態では、シャッタの閉鎖動作時に、まず、シャッタが、シャッタ受け部に取付けられたシール部材に衝突し、次いで、シャッタに取付けられたバネがシャッタ受け部に衝突するように、シール部材およびバネが配置されている。そのため、シャッタの閉鎖動作時に、シャッタがシール部材に衝突する前に、バネがシャッタ受け部に衝突するのに伴って、シャッタ受け部とシャッタとの隙間をシール部材によってシールできなくなってしまうのを回避することができる。
【００７０】
以下、本発明のシャッタ装置を適用した空調装置の第４の実施形態について説明する。第４の実施形態の空調装置は、後述する点を除き、第３の実施形態の空調装置と同様に構成されている。従って、第４の実施形態によれば、後述する点を除き、第３の実施形態と同様の効果を奏することができる。
【００７１】
第４の実施形態のシャッタ装置（図示せず）では、図１〜図５に示した第１の実施形態のシャッタ装置２０および第３の実施形態のシャッタ装置（図示せず）と同様に、ハウジングの一部を構成するシャッタ受け部とシャッタとの隙間をシールするためのシール部材が、シャッタ受け部に取付けられている。
【００７２】
また、第４の実施形態のシャッタ装置（図示せず）では、第３の実施形態のシャッタ装置（図示せず）と同様に、シャッタの閉鎖動作時にシャッタがシール部材に衝突する衝撃を緩衝するためのバネが、シャッタ受け部ではなく、シャッタに取付けられている。そのため、第３の実施形態のシャッタ装置（図示せず）と同様に、バネとシャッタ受け部との接触面積が比較的小さい値に設定されている。
【００７３】
詳細には、第３の実施形態のシャッタ装置（図示せず）と同様に、バネとシャッタ受け部との接触面積が、シール部材とシャッタとの接触面積よりも小さくされている。そのため、バネとシャッタ受け部との接触面積が比較的大きい場合よりも、シャッタの閉鎖動作時にバネがシャッタ受け部に衝突するのに伴って発生する衝突音を低減することができる。
【００７４】
更に、第４の実施形態では、シャッタの閉鎖動作時に、シャッタが、シャッタ受け部に取付けられたシール部材に衝突するのとほぼ同時に、シャッタに取付けられたバネがシャッタ受け部に衝突するように、シール部材およびバネが配置されている。そのため、シャッタの閉鎖動作時に、シャッタがシール部材に衝突する前に、バネがシャッタ受け部に衝突するのに伴って、シャッタ受け部とシャッタとの隙間をシール部材によってシールできなくなってしまうのを回避することができる。
【００７５】
以下、本発明のシャッタ装置を適用した空調装置の第５の実施形態について説明する。第５の実施形態の空調装置は、後述する点を除き、第１の実施形態の空調装置と同様に構成されている。従って、第５の実施形態によれば、後述する点を除き、第１の実施形態と同様の効果を奏することができる。
【００７６】
上述した第１の実施形態のシャッタ装置２０では、図１〜図５に示したように、ハウジング２１の一部を構成するシャッタ受け部２１’とシャッタ２３との隙間をシールするためのシール部材２５が、シャッタ受け部に取付けられているが、第５の実施形態のシャッタ装置（図示せず）では、シャッタ受け部とシャッタとの隙間をシールするためのシール部材が、シャッタ受け部ではなく、シャッタに取付けられている。
【００７７】
また、上述した第１の実施形態のシャッタ装置２０では、図１〜図５に示したように、シャッタ２３の閉鎖動作時にシャッタ２３がシール部材２５に衝突する衝撃を緩衝するためのバネ２６が、ハウジング２１の一部を構成するシャッタ受け部２１’に取付けられているが、第５の実施形態のシャッタ装置（図示せず）では、シャッタの閉鎖動作時にシール部材がシャッタ受け部に衝突する衝撃を緩衝するためのバネが、シャッタ受け部ではなく、シャッタに取付けられている。そのため、第１の実施形態のシャッタ装置２０では、バネ２６とシャッタ２３との接触面積が比較的小さい値に設定されているが、第５の実施形態のシャッタ装置（図示せず）では、バネとシャッタ受け部との接触面積が比較的小さい値に設定されている。
【００７８】
詳細には、バネとシャッタ受け部との接触面積が、シール部材とシャッタ受け部との接触面積よりも小さくされている。そのため、バネとシャッタ受け部との接触面積が比較的大きい場合よりも、シャッタの閉鎖動作時にバネがシャッタ受け部に衝突するのに伴って発生する衝突音を低減することができる。
【００７９】
更に、第５の実施形態では、シャッタの閉鎖動作時に、まず、シャッタに取付けられたシール部材がシャッタ受け部に衝突し、次いで、シャッタに取付けられたバネがシャッタ受け部に衝突するように、シール部材およびバネが配置されている。そのため、シャッタの閉鎖動作時に、シール部材がシャッタ受け部に衝突する前に、バネがシャッタ受け部に衝突するのに伴って、シャッタ受け部とシャッタとの隙間をシール部材によってシールできなくなってしまうのを回避することができる。
【００８０】
以下、本発明のシャッタ装置を適用した空調装置の第６の実施形態について説明する。第６の実施形態の空調装置は、後述する点を除き、第５の実施形態の空調装置と同様に構成されている。従って、第６の実施形態によれば、後述する点を除き、第５の実施形態と同様の効果を奏することができる。
【００８１】
第６の実施形態のシャッタ装置（図示せず）では、第５の実施形態のシャッタ装置（図示せず）と同様に、ハウジングの一部を構成するシャッタ受け部とシャッタとの隙間をシールするためのシール部材が、シャッタ受け部ではなく、シャッタに取付けられている。
【００８２】
また、第６の実施形態のシャッタ装置（図示せず）では、第５の実施形態のシャッタ装置（図示せず）と同様に、シャッタの閉鎖動作時にシール部材がシャッタ受け部に衝突する衝撃を緩衝するためのバネが、シャッタ受け部ではなく、シャッタに取付けられている。そのため、第５の実施形態のシャッタ装置（図示せず）と同様に、バネとシャッタ受け部との接触面積が比較的小さい値に設定されている。
【００８３】
詳細には、第５の実施形態のシャッタ装置（図示せず）と同様に、バネとシャッタ受け部との接触面積が、シール部材とシャッタ受け部との接触面積よりも小さくされている。そのため、バネとシャッタ受け部との接触面積が比較的大きい場合よりも、シャッタの閉鎖動作時にバネがシャッタ受け部に衝突するのに伴って発生する衝突音を低減することができる。
【００８４】
更に、第６の実施形態では、シャッタの閉鎖動作時に、シャッタに取付けられたシール部材がシャッタ受け部に衝突するのとほぼ同時に、シャッタに取付けられたバネがシャッタ受け部に衝突するように、シール部材およびバネが配置されている。そのため、シャッタの閉鎖動作時に、シール部材がシャッタ受け部に衝突する前に、バネがシャッタ受け部に衝突するのに伴って、シャッタ受け部とシャッタとの隙間をシール部材によってシールできなくなってしまうのを回避することができる。
【００８５】
以下、本発明のシャッタ装置を適用した空調装置の第７の実施形態について説明する。第７の実施形態の空調装置は、後述する点を除き、第１の実施形態の空調装置と同様に構成されている。従って、第７の実施形態によれば、後述する点を除き、第１の実施形態と同様の効果を奏することができる。
【００８６】
上述した第１の実施形態のシャッタ装置２０では、図１〜図５に示したように、ハウジング２１の一部を構成するシャッタ受け部２１’とシャッタ２３との隙間をシールするためのシール部材２５が、シャッタ受け部２１’に取付けられているが、第７の実施形態のシャッタ装置（図示せず）では、ハウジングの一部を構成するシャッタ受け部とシャッタとの隙間をシールするためのシール部材が、シャッタ受け部ではなく、シャッタに取付けられている。
【００８７】
また、第７の実施形態のシャッタ装置（図示せず）では、シャッタの閉鎖動作時に、シャッタに取付けられたシール部材がシャッタ受け部に衝突する衝撃を緩衝するためのバネが、シャッタ受け部に取付けられている。そのため、第７の実施形態のシャッタ装置（図示せず）では、図１〜図５に示した第１の実施形態のシャッタ装置２０と同様に、バネとシャッタとの接触面積が比較的小さい値に設定されている。
【００８８】
詳細には、バネとシャッタとの接触面積が、シール部材とシャッタ受け部との接触面積よりも小さくされている。そのため、バネとシャッタとの接触面積が比較的大きい場合よりも、シャッタの閉鎖動作時にバネがシャッタに衝突するのに伴って発生する衝突音を低減することができる。
【００８９】
更に、第７の実施形態では、シャッタの閉鎖動作時に、まず、シャッタに取付けられたシール部材がシャッタ受け部に衝突し、次いで、シャッタが、シャッタ受け部に取付けられたバネに衝突するように、シール部材およびバネが配置されている。そのため、シャッタの閉鎖動作時に、シール部材がシャッタ受け部に衝突する前に、シャッタがバネに衝突するのに伴って、シャッタ受け部とシャッタとの隙間をシール部材によってシールできなくなってしまうのを回避することができる。
【００９０】
第８の実施形態のシャッタ装置（図示せず）では、第７の実施形態のシャッタ装置（図示せず）と同様に、ハウジングの一部を構成するシャッタ受け部とシャッタとの隙間をシールするためのシール部材が、シャッタ受け部ではなく、シャッタに取付けられている。
【００９１】
また、第８の実施形態のシャッタ装置（図示せず）では、第７の実施形態のシャッタ装置（図示せず）と同様に、シャッタの閉鎖動作時にシール部材がシャッタ受け部に衝突する衝撃を緩衝するためのバネが、シャッタ受け部に取付けられている。そのため、第７の実施形態のシャッタ装置（図示せず）と同様に、バネとシャッタとの接触面積が比較的小さい値に設定されている。
【００９２】
詳細には、第７の実施形態のシャッタ装置（図示せず）と同様に、バネとシャッタとの接触面積が、シール部材とシャッタ受け部との接触面積よりも小さくされている。そのため、バネとシャッタとの接触面積が比較的大きい場合よりも、シャッタの閉鎖動作時にバネがシャッタに衝突するのに伴って発生する衝突音を低減することができる。
【００９３】
更に、第８の実施形態では、シャッタの閉鎖動作時に、シャッタに取付けられたシール部材がシャッタ受け部に衝突するのとほぼ同時に、シャッタが、シャッタ受け部に取付けられたバネに衝突するように、シール部材およびバネが配置されている。そのため、シャッタの閉鎖動作時に、シール部材がシャッタ受け部に衝突する前に、シャッタがバネに衝突するのに伴って、シャッタ受け部とシャッタとの隙間をシール部材によってシールできなくなってしまうのを回避することができる。
【００９４】
以下、本発明のシャッタ装置を適用した空調装置の第９の実施形態について説明する。第９の実施形態では、図１〜図５に示したシャッタ装置２０の代わりに、後述するシャッタ装置２２０が、図１に示した空調装置１０に適用されている。
【００９５】
第９の実施形態においても、第１の実施形態と同様に、室内の空気を加熱して循環させる暖房モードと、室内の空気を室外に排出する換気モードと、室内の空気の一部を加熱して循環させつつ、室内の空気の一部を室外に排出する乾燥モードと、室内の空気を加熱することなく循環させる涼風モードとが、空調装置１０に設けられている。
【００９６】
図９は開放されている状態における第９の実施形態のシャッタ装置２２０の断面図、図１０は図９に示したシャッタ装置２２０の斜視図、図１１は閉鎖されている状態における第９の実施形態のシャッタ装置２２０の断面図、図１２は図１１に示したシャッタ装置２２０の斜視図である。
【００９７】
図９〜図１２において、２２１はシャッタ装置２２０のハウジング、２２１’はハウジング２２０の一部を構成するシャッタ受け部、２２２は室内の空気を室外に排出するためにハウジング２２１に形成された開口である。２２３は開口２２２を閉鎖することにより、室外の空気が室内に逆流するのを抑制するためのシャッタ、２２４はシャッタ２３の回転軸である。２２６はシャッタ２２３の閉鎖動作時、つまり、シャッタ２２３が開放された状態（図９および図１０）からシャッタ２２３が閉鎖された状態（図１１および図１２）に切り換わる時に、シャッタ２２３が衝突する衝撃を緩衝するためのバネである。第９の実施形態では、バネ２２６として、圧縮コイルバネが用いられている。
【００９８】
第９の実施形態では、第１の実施形態と同様に、換気モードおよび乾燥モードにおいて、通常、ファンＦ１によって空調装置１０内に吸い込まれた空気が、シャッタ装置２２０を介して室外に排出される。詳細には、図９および図１０に示すように、ファンＦ１によって室内から吸い込まれた空気により、シャッタ２２３が時計回りに回転せしめられ、シャッタ２２３が開放される。その結果、室内の空気はシャッタ装置２２０の開口２２２を介して室外に排出される。
【００９９】
第９の実施形態では、第１の実施形態と同様に、室外の空気が排気口１５を介して室内に逆流するのが、シャッタ装置２２０によって抑制される。詳細には、室外の空気が排気口１５を介して室内に逆流しようとする時には、室外から室内に逆流しようとする空気により、シャッタ２２３が、図９および図１０に示した状態から図１１および図１２に示した状態に反時計回りに回転せしめられ、閉鎖される。その結果、室外の空気が室内に逆流するのが抑制される。
【０１００】
第９の実施形態では、図９〜図１２に示すように、シャッタ２２３の閉鎖動作時にシャッタ２２３が衝突する衝撃を緩衝するための衝撃緩衝部材としてバネ２２６が用いられている。そのため、衝撃緩衝部材としてゴムが用いられている場合よりも、シャッタ２２３の閉鎖動作時の衝突音を低減し、かつ、閉鎖したシャッタ２２３が開かなくなってしまうおそれを低減することができる。
【０１０１】
詳細には、第９の実施形態では、図１０に示すように、シャッタ２２３がバネ２２６に衝突した時にシャッタ２２３の回転軸２２４にこじり力が発生しないように、バネ２２６がシャッタ２２３の回転軸２２４の垂直二等分面上に配置されている。
【０１０２】
更に、第９の実施形態では、図９〜図１１に示すように、バネ２２６とシャッタ２２３との接触面積が比較的小さい値に設定されている。そのため、バネ２２６とシャッタ２２３との接触面積が比較的大きい場合よりも、シャッタ２２３の閉鎖動作時にシャッタ２２３がバネ２２６に衝突するのに伴って発生する衝突音を低減することができる。
【０１０３】
以下、本発明のシャッタ装置を適用した空調装置の第１０の実施形態について説明する。第１０の実施形態の空調装置は、後述する点を除き、第９の実施形態の空調装置と同様に構成されている。従って、第１０の実施形態によれば、後述する点を除き、第９の実施形態と同様の効果を奏することができる。
【０１０４】
上述した第９の実施形態のシャッタ装置２２０では、図９〜図１２に示したように、シャッタ２２３の閉鎖動作時にシャッタ２２３が衝突する衝撃を緩衝するためのバネ２２６がハウジング２２１の一部を構成するシャッタ受け部２２１’に取付けられているが、第１０の実施形態のシャッタ装置（図示せず）では、シャッタの閉鎖動作時にシャッタが衝突する衝撃を緩衝するためのバネが、シャッタ受け部ではなく、シャッタに取付けられている。そのため、第９の実施形態のシャッタ装置２２０では、バネ２２６とシャッタ２２３との接触面積が比較的小さい値に設定されているが、第１０の実施形態のシャッタ装置（図示せず）では、バネとシャッタ受け部との接触面積が比較的小さい値に設定されている。そのため、バネとシャッタ受け部との接触面積が比較的大きい場合よりも、シャッタの閉鎖動作時にバネがシャッタ受け部に衝突するのに伴って発生する衝突音を低減することができる。
【０１０５】
上述した第１から第１０の実施形態では、シャッタ２３，１２３，２２３の閉鎖動作時にシャッタ２３，１２３，２２３が衝突する衝撃を緩衝するためのバネ２６，１２６，２２６として圧縮コイルバネが用いられているが、第１１の実施形態では、圧縮コイルバネを用いる代わりに、ねじりコイルバネを例えばシャッタ２３，１２３，２２３の回転軸２４，１２４，２２４に適用することも可能である。
【０１０６】
上述した第１から第１１の実施形態では、本発明のシャッタ装置が、暖房モードと、換気モードと、乾燥モードと、涼風モードとを有する空調装置１０に適用されているが、第１２の実施形態では、換気モードのみを有する換気装置に対して本発明のシャッタ装置を適用することも可能である。
【０１０７】
上述した第１から第１２の実施形態では、例えば一戸建住宅のような住宅構造に対して本発明のシャッタ装置が適用されているが、第１３の実施形態では、例えばマンションの各世帯のような住宅構造に対して本発明のシャッタ装置を適用することも可能である。
【０１０８】
第１４の実施形態では、上述した第１から第１３の実施形態を適宜組み合わせることも可能である。
【０１０９】
上述した第１から第１１、第１３、および第１４の実施形態では、図１に示したように、ファンＦ１とダンパＤとを用いることにより、暖房モードと、換気モードと、乾燥モードと、涼風モードとが切り換えられているが、上述した第１から第１１、第１３、および第１４の実施形態の変形例では、ダンパを用いる代わりに、例えば循環ファン（図示せず）および換気ファン（図示せず）のような複数のファンを用いることにより、暖房モードと、換気モードと、乾燥モードと、涼風モードとを切り換えることも可能である。
【０１１０】
また、上述した第１から第１４の実施形態では、シャッタ受け部がハウジングの一部により構成されているが、上述した第１から第１４の実施形態の変形例では、シャッタ受け部とハウジングとを別部材によって構成することも可能である。また、上述した第１から第１４の実施形態では、シャッタ受け部がシャッタを間接的に受けているが、上述した第１から第１４の実施形態の変形例では、シャッタを直接的に受けるようにシャッタ受け部を構成することも可能である。
【０１１１】
【発明の効果】
請求項１に記載の発明によれば、不必要な風の逆流を抑制しつつ、シャッタの閉鎖動作時にシャッタがシール部材に衝突するのに伴って発生する衝突音を低減することができる。
【０１１２】
請求項２に記載の発明によれば、バネとシャッタとの接触面積が比較的大きい場合よりも、シャッタの閉鎖動作時にシャッタがバネに衝突するのに伴って発生する衝突音を低減することができる。
【０１１３】
請求項３及び４に記載の発明によれば、シャッタの閉鎖動作時に、シール部材に衝突する前に、シャッタがバネに衝突するのに伴って、シャッタ受け部とシャッタとの隙間をシール部材によってシールできなくなってしまうのを回避することができる。
【０１１４】
請求項５に記載の発明によれば、不必要な風の逆流を抑制しつつ、シャッタの閉鎖動作時にシール部材がシャッタ受け部に衝突するのに伴って発生する衝突音を低減することができる。
【０１１５】
請求項６に記載の発明によれば、バネとシャッタ受け部との接触面積が比較的大きい場合よりも、シャッタの閉鎖動作時にバネがシャッタ受け部に衝突するのに伴って発生する衝突音を低減することができる。
【０１１６】
請求項７及び８に記載の発明によれば、シャッタの閉鎖動作時に、シール部材がシャッタ受け部に衝突する前に、バネがシャッタ受け部に衝突するのに伴って、シャッタ受け部とシャッタとの隙間をシール部材によってシールできなくなってしまうのを回避することができる。
【０１１７】
請求項９及び１０に記載の発明によれば、衝撃緩衝部材としてゴムが用いられる場合よりも、シャッタの閉鎖動作時の衝突音を低減し、かつ、閉鎖したシャッタが開かなくなってしまうおそれを低減することができる。
【０１１８】
請求項１１から１３に記載の発明によれば、不必要な風の逆流を抑制しつつ、シャッタの閉鎖動作時にシャッタがシール部材に衝突するのに伴って発生する衝突音を低減することができる。あるいは、不必要な風の逆流を抑制しつつ、シャッタの閉鎖動作時にシール部材がシャッタ受け部に衝突するのに伴って発生する衝突音を低減することができる。あるいは、衝撃緩衝部材としてゴムが用いられる場合よりも、シャッタの閉鎖動作時の衝突音を低減し、かつ、閉鎖したシャッタが開かなくなってしまうおそれを低減することができる。
【図面の簡単な説明】
【図１】本発明のシャッタ装置を適用した空調装置の第１の実施形態の断面図である。
【図２】図１に示したシャッタ装置２０が開放されている状態を示した断面図である。
【図３】図２に示したシャッタ装置２０の斜視図である。
【図４】図１に示したシャッタ装置２０が閉鎖されている状態を示した断面図である。
【図５】図４に示したシャッタ装置２０の斜視図である。
【図６】開放されている状態における第２の実施形態のシャッタ装置１２０の断面図である。
【図７】図６に示したシャッタ装置１２０を左側から見た図である。
【図８】図６に示したシャッタ装置１２０の斜視図である。
【図９】開放されている状態における第９の実施形態のシャッタ装置２２０の断面図である。
【図１０】図９に示したシャッタ装置２２０の斜視図である。
【図１１】閉鎖されている状態における第９の実施形態のシャッタ装置２２０の断面図である。
【図１２】図１１に示したシャッタ装置２２０の斜視図である。
【符号の説明】
２０  シャッタ装置
２１  ハウジング
２２  開口
２３  シャッタ
２５  シール部材
２６  バネ
【図１】
2005016918.tif 000003
【図２】
2005016918.tif 000004
【図３】
2005016918.tif 000005
【図４】
2005016918.tif 000006
【図５】
2005016918.tif 000007
【図６】
2005016918.tif 000008
【図７】
2005016918.tif 000009
【図８】
2005016918.tif 000010
【図９】
2005016918.tif 000011
【図１０】
2005016918.tif 000012
【図１１】
2005016918.tif 000013
【図１２】
2005016918.tif 000014